(57)【要約】【課題】  プロジェクタと個人認証符号が入力される入力装置に備えられた個人認証登録手段と、識別記録媒体に登録されている個人認証と、が一致する場合に限り、前記プロジェクタの操作を可能にする投写表示システムを提供する。【解決手段】  投写表示システム１は、ＰＣ７００、ＤＳＣ６００からの画像信号に応じて画像を投写するプロジェクタ１０と、使用制限情報のうち、少なくとも個人認証符号が記録されたＩＤカード８００と、このＩＤカードに記憶された記録情報をプロジェクタ１０に入力する入力装置としてのリモートコントローラ５１またはＩＤカード入力装置７０と、を備え、プロジェクタ１０と前記入力装置とは、それぞれＩＤ認証部５７，７５，１１０を備え、ＩＤカード８００に登録されている個人認証符号が一致する場合に限りプロジェクタ１０の操作を可能にする。【選択図】      図１
2005181606.tif 000002
【特許請求の範囲】
【請求項１】
画像情報入力装置からの画像信号に応じて画像を投写するプロジェクタと、
使用制限情報のうち、少なくとも個人認証符号が記録された識別記録媒体と、
前記識別記録媒体の記録情報を前記プロジェクタに入力する入力装置と、を備え、
前記プロジェクタと前記入力装置とは、それぞれ個人認証登録手段を備え、
前記個人認証登録手段と前記識別記録媒体に登録されている個人認証符号が一致する場合に限り、前記プロジェクタの操作を可能にすることを特徴とする投写表示システム。
【請求項２】
請求項１に記載の投写表示システムにおいて、
前記入力装置は、少なくとも前記プロジェクタを遠隔操作可能なリモートコントローラ、または前記プロジェクタに備えられた識別記録媒体入力装置であることを特徴とする投写表示システム。
【請求項３】
請求項１または請求項２に記載の投写表示システムにおいて、
前記プロジェクタと前記入力装置とが、それぞれ双方向通信機能を備えていることを特徴とする投写表示システム。
【請求項４】
請求項１ないし請求項３のいずれかに記載の投写表示システムにおいて、
前記入力装置は、当該プロジェクタの固有情報を前記識別記録媒体に記録する書き込み装置を備えていることを特徴とする投写表示システム。
【請求項５】
請求項１ないし請求項４のいずれかに記載の投写表示システムにおいて、
前記リモートコントローラの通信手段が、赤外線による通信手段、または無線による通信手段を備えていることを特徴とする投写表示システム。
【請求項６】
請求項１ないし請求項５のいずれかに記載の投写表示システムにおいて、
前記リモートコントローラが、該リモートコントローラと、前記プロジェクタと、前記識別記録媒体とが、それぞれの個人識別認証手段を備えることを特徴とする投写表示システム。
【請求項７】
請求項１ないし請求項６のいずれかに記載の投写表示システムにおいて、
前記識別記録媒体が、記録内容を書き換え可能なＩＤカードであることを特徴とする投写表示システム。
【請求項８】
請求項１ないし請求項７のいずれかに記載の投写表示システムにおいて、
前記個人認証登録手段と前記識別記録媒体に登録されている個人認証符号が、複数回一致する場合に限り、前記プロジェクタの点灯、消灯を可能にすることを特徴とする投写表示システム。
【請求項９】
投写表示システムであって、前記プロジェクタと前記識別記録媒体と前記入力装置とに使用制限情報を書き込み、記録の読み出しを行うリード・ライターを備えたことを特徴とする投写表示システム。
【発明の詳細な説明】
【技術分野】
【０００１】
本発明は、個人認証機能を備え、個人認証が一致する場合に限り、前記プロジェクタの操作を可能にすることを特徴とする投写表示システムに関する。
【背景技術】
【０００２】
従来、プロジェクタはプレゼンテーション装置として、誰もがいつでも容易に使用できる便利な装置であるが、プロジェクタの光源であるランプは、高価であるにもかかわらず数千時間の寿命であるものが多く、無節操に使用され、使用したい時に使用できないということが考えられる。また、特に可搬型のプロジェクタは、誰にでも場所を移動して使用できるため、管理が困難であった。
【０００３】
そこで、プレゼンテーション用の画像を表す画像信号を生成するＰＣ（Ｐｅｒｓｏｎａｌ  Ｃｏｍｐｕｔｅｒ）と、ＰＣから供給される画像信号に応じて画像を投写するプロジェクタと、このプロジェクタを遠隔操作可能なリモートコントローラとを備え、これらＰＣとリモートコントローラとは、それぞれ個人認証登録手段を有し、リモートコントローラは、リモートコントローラ及びＰＣに登録されている個人認証が一致する場合に限り、ＰＣから供給される機能受信の受信を許可して接続が確立され、プロジェクタを操作することができる投写表示システム（プレゼンテーションシステム）が知られている（例えば、特許文献１）。
【０００４】
【特許文献１】特開２００２−６４８８３号公報（第１３，１４頁、図９）
【発明の開示】
【発明が解決しようとする課題】
【０００５】
このような特許文献１では、個人認証登録されたユーザー以外がＰＣとリモートコントローラの接続を確立することができず、機能情報を設定することができないのでセキュリティを確保することが可能になる。また、結果として、個人認証登録されたユーザー以外は、この投写表示システムをプレゼンテーション用として使用できないことになる。
【０００６】
しかし、前述の特許文献１によれば、この投写表示システムのマスタはＰＣであるが、プロジェクタに画像信号を入力する画像入力媒体は、ＰＣ以外にＤＳＣ（Ｄｉｇｉｔａｌ  Ｓｔｉｌｌ  Ｃａｍｅｒａ）、ＤＶＤ（Ｄｉｇｉｔａｌ  Ｖｅｒｓａｔｉｌｅ  Ｄｉｓｃ）、メモリカード等様々であり、これらの画像入力媒体では、ＰＣをマスタとして使用することができないので、個人認証をすることはできない。
さらに、このような投写表示システムでは、個人認証がされない場合、ＰＣから供給される機能情報の受信ができないため、機能情報の投写はできないが、プロジェクタのランプは点灯されるので、ランプの寿命を延命することはできないという課題がある。
また、管理者は、プロジェクタの使用状況、即ち、いつ、誰が、どのプロジェクタをどのくらいの時間使用したかを管理したいという要望がある。
【０００７】
本発明は、従来技術の課題を解決するためになされたものであり、プロジェクタと個人認証符号が入力される入力装置に備えられた個人認証登録手段と、識別記録媒体に登録されている個人認証と、が一致する場合に限り、前記プロジェクタの操作を可能にする投写表示システムを提供することを目的とする。
【課題を解決するための手段】
【０００８】
本発明の投写表示システムは、画像情報入力装置からの画像信号に応じて画像を投写するプロジェクタと、使用制限情報のうち、少なくとも個人認証符号が記録された識別記録媒体と、前記識別記録媒体の記録情報を前記プロジェクタに入力する入力装置と、を備え、
前記プロジェクタと前記入力装置とは、それぞれ個人認証登録手段を備え、前記個人認証登録手段と前記識別記録媒体に登録されている個人認証符号が一致する場合に限り、前記プロジェクタの操作を可能にすることを特徴とする。
【０００９】
ここで、使用制限情報には、例えば、個人認証符号の他にプロジェクタの使用可能時刻範囲、使用可能時間等が含まれる。
また、個人認証符号としては、ユーザー個人の他に管理部署などの管理単位の認証符号を採用することができる。
【００１０】
上記投写表示システムは、プロジェクタと入力装置に個人認証登録手段を備えているので、識別記録媒体に記録された個人認証符号とプロジェクタ及び入力装置に記録された個人認証符号（以下、識別符号と呼ぶ）が一致したときに限りプロジェクタの操作（例えば、点灯、消灯など）が可能となり、プロジェクタの使用制限を的確に行うことができ、不適切な使用を防止し、その結果ランプの寿命を延命することができる。
また、このことから、個人認証符号を取得したユーザー以外にプロジェクタを使用できないことから、プロジェクタの無断持ち出しや盗難等を防止することが期待できる。
【００１１】
ここで、前記入力装置は、少なくとも前記プロジェクタを遠隔操作可能なリモートコントローラ、または前記プロジェクタに備えられた識別記録媒体入力装置であることが好ましい。
ここで、識別記録媒体入力装置は、プロジェクタにケーブルで接続されており、プロジェクタに装着されていても、別体にユニット化されていてもよい。
【００１２】
このようにすれば、リモートコントローラの場合は、プロジェクタとリモートコントローラとの間を接続するケーブルを省略することができる。また、天吊り型のプロジェクタにおいては、遠隔操作が可能となる。識別記録媒体入力装置の場合は、机上載置型のプロジェクタにおいては、プロジェクタが操作しやすい場所に一体に装着されてもよく、小型の携行型のプロジェクタにおいては、別体にユニット化すれば、操作性を向上することができる。
【００１３】
また、前記投写表示システムは、前記プロジェクタと前記入力装置とが、それぞれ双方向通信機能を備えていることが好ましい。
【００１４】
このようにすれば、入力装置からプロジェクタに使用制限情報を入力し、プロジェクタからは、例えば、個人認証結果やプロジェクタの固有情報を入力装置に入力することができるので、より確実な個人認証と、プロジェクタの使用実態の情報を入力装置（後述する識別記録媒体）を介して得ることができる。
【００１５】
また、本発明の構成によれば、前記入力装置は、当該プロジェクタの固有情報を前記識別記録媒体に記録する書き込み装置を備えていることが好ましい。
ここで、当該プロジェクタの固有情報としては、このプロジェクタの使用開始時刻、使用終了時刻、使用時間、使用者、プロジェクタの識別符号等が含まれる。
【００１６】
このようにすれば、プロジェクタの使用実態を識別記録媒体に記録することができるので、後述する方法で管理をすることができる。
【００１７】
本発明の投写表示システムでは、前記リモートコントローラの通信手段が、赤外線による通信手段、または無線による通信手段を備えていることが好ましい。
【００１８】
このような構成によれば、赤外線による通信手段によれば、通信手段の構成が簡素で安価なリモートコントローラを得ることができる。
また、微弱な出力の無線による通信手段によれば、電波は指向性がなく、かつ障害物による電波の遮断による影響も少ない。
これらの通信手段を備える場合も、前述したように、個人認証登録手段を備えているので、信頼性の高い通信と個人認証を実現できる。
【００１９】
上記投写表示システムにおいて、前記リモートコントローラが、該リモートコントローラと、前記プロジェクタと、前記識別記録媒体とが、それぞれの個人識別認証手段を備えることが好ましい。
【００２０】
電子機器において、リモートコントローラは同じ機種であれば、どの機械体でも使用できる場合が一般的である。しかし、上記の構成によれば、リモートコントローラとプロジェクタと識別記録媒体との個人認証を行うことができるため、それぞれの使用組み合わせを管理することができる。
【００２１】
本発明の構成では、前記識別記録媒体が、記録内容を書き換え可能なＩＤカードであることが好ましい。
ここで、ＩＤカード（Ｉｄｅｎｔｉｆｉｃａｔｉｏｎ  Ｃａｒｄ：識別情報記録カード）としては、磁気カード、ＩＣカード等が採用できる。
【００２２】
このような構成においては、前述の使用制限情報やプロジェクタの使用実態情報などを識別記録媒体としてのＩＤカードに書き換えることができるので、管理者がＩＤカードを一括管理し、使用制限情報を必要に応じて変更することができる。また、プロジェクタの使用実態の記録を書き込むことができるので、的確で確実な管理や計画的な使用をすることができる。
【００２３】
また、本発明の構成では、前記個人認証登録手段と前記識別記録媒体に登録されている個人認証符号が、複数回一致する場合に限り、前記プロジェクタの点灯、消灯を可能にすることが好ましい。
【００２４】
上記のようにすれば、例えば、ＩＤカードから個人認証符号を入力装置、プロジェクタの順に入力して個人認証し、次に、プロジェクタ側から入力装置側に個人認証符号を入力し個人認証し、再度、入力装置から個人認証符号を入力して個人認証された場合に、プロジェクタの点灯、消灯を可能にするため、個人認証の信頼性を高めると共に、使用中に無意識に、または、間違えて消灯してしまう確立を減ずることができる。
【００２５】
本発明の投写表示システムは、前記プロジェクタと前記識別記録媒体と前記入力装置とに使用制限情報を書き込み、記録の読み出しを行うリード・ライターを備えたことを特徴とする。
【００２６】
このような投写表示システムでは、上述のようなリード・ライターを備えているので、制限情報の書き込み、変更ができ、また、記録された情報を読み出すことができるので、この投写表示システムの管理が容易に行えるという効果がある。
【発明を実施するための最良の形態】
【００２７】
以下、本発明の実施の形態を図面に基づいて説明する。
図１〜図５は本発明の実施形態の投写表示システムの構成を示すブロック図、図６〜図９は、動作を示すフローチャートである。
【００２８】
図１は、本実施形態の投写表示システム１の構成を示す。図１において、投写表示システム１は、基本構成として、画像情報入力装置としてのＤＳＣ６００、ＰＣ７００、ＤＶＤ９７０等からの画像信号に応じて画像を投写するプロジェクタ１０と、プロジェクタ１０を外部から遠隔操作する入力装置としてのリモートコントローラ５１と、ＩＤカード入力装置７０とを備えている。
さらに、リモートコントローラ５１及びＩＤカード入力装置７０に個人認証符号を入力する識別記録媒体としてのＩＤカード８００を備えている。
【００２９】
プロジェクタ１０は、画像入力装置としてＤＳＣ６００を使用する場合は、インターフェースとしてＵＳＢ（Ｕｎｉｖｅｒｓａｌ  Ｓｅｒｉａｌ  Ｂｕｓ）・ＴｙｐｅＡコネクタ２０とＵＳＢホストコントローラ２５を備えており、ＵＳＢホストコントローラ２５でＡ／Ｄ変換された画像信号をＲ（赤）、Ｇ（緑）、Ｂ（青）の信号に再生処理する画像再生処理部２００を備えている。
【００３０】
また、画像入力装置としてＰＣ７００を使用する場合は、インターフェースとしてＲＳ・２３２Ｃコネクタ３０とＲＳドライバ３５を備え、ここからの画像信号画入力される画像処理部２５０を備えている。さらに、ＤＶＤ９７０を使用する場合には、画像信号は画像処理部２５０に入力される。
なお、画像入力装置としては、図示しないが、メモリカード等も使用することができる。これらの画像入力装置は、それぞれ単独の構成としても、組み合わせの構成としてもよく、任意に選択することができる。
【００３１】
画像処理部２５０は、前述の画像入力装置からの画像信号を画像投写に必要な信号に変換処理をして、液晶駆動回路３００にＲ，Ｇ，Ｂの信号を出力する機能を有している。
プロジェクタ１０の光学系としては、光源としてのランプ４００、Ｒ，Ｇ，Ｂの画像信号に対応する液晶パネルとダイクロイックプリズムから構成されるライトバルブ３５０と投写レンズ４５０を備え、この投写レンズ４５０から投写画像がスクリーン５００に拡大投写されるのである。
プロジェクタ１０は、これら上記の画像処理部２５０、液晶駆動回路３００、ランプ４００の駆動制御を行う駆動制御部１２０を有するシステムＣＰＵをさらに備えている。
【００３２】
システムＣＰＵ１００は、駆動制御部１２０に加え、個人認証登録手段としての記憶部１４０とＩＤ認証部１１０と、時計１３０を備えている。
記憶部１４０は、プロジェクタ１０の使用実態（駆動実態）として、このプロジェクタ１０の使用開始時刻、使用終了時刻、使用時間、及びＩＤカード８００から入力される使用者または管理者の個人認証符号等が記憶される。
このことから、時計１３０は、上記のプロジェクタ１０の使用開始時刻、終了時刻、使用時間を計測する時刻計測手段とタイマー手段を有している。
【００３３】
この記憶部１４０と後述する記憶装置１５０とに記憶されているデータをＩＤ認証部１１０で照合し、一致したときには駆動制御部１２０によって、少なくともランプの点灯を実行し、やはり後述する操作ボード６０またはリモートコントローラ５１の機能操作指示に従って、スクリーン５００に機能画像が投写表示される。
また、データが一致しない場合は、ランプの点灯は実行されない。すなわち、上記の操作ボード６０による機能操作指示は無効となる。
【００３４】
操作ボード６０は、プロジェクタ１０の表面に備えられており、図示しないが、本実施形態においては、電源ＯＮ／ＯＦＦスイッチ、ＤＳＣ６００、ＤＶＤ９７０、ＰＣ７００などの画像情報入力装置の選択切換え操作部、同期／トラッキングなどの画像補正操作部、
時刻修正操作部などで構成された機能操作指示部と、これらの状態を表示するディスプレイとを備えている。
この操作ボード６０からの機能指示信号がシステムＣＰＵ１００に入力され、プロジェクタ１０が駆動制御される。
【００３５】
プロジェクタ１０は、上述した構成の他に遠隔操作を行うリモートコントローラ５１との通信インターフェースである受光部４０と、受光部４０の信号をＡ／Ｄ変換するＩＲコントローラ４５と、識別記録媒体入力装置としてのＩＤカード８００のインターフェースであるＩＤカード入力装置７０からの信号をＡ／Ｄ変換するＩＤカードコントローラ８０とを備えている。
【００３６】
なお、投写表示装置１は、上述の構成以外に、ＩＤカード８００に個人認証符号等の情報を書き込みをする、または情報を読み出すためのリード・ライター９５０及び記憶装置１５０にプロジェクタ識別符号等の情報を書き込む、または、読み出すためのリード・ライター９００を備えている。
【００３７】
図２は、本実施形態のリモートコントローラ５１と受光部４０の構成を示すブロック図を示す。図２において、リモートコントローラ５１は、図示しないが、前述の操作ボード６０と同様な電源ＯＮ／ＯＦＦスイッチ、ＤＳＣ６００、ＤＶＤ９７０、ＰＣ７００などの画像情報入力装置の選択切換え操作部、同期／トラッキングなどの画像補正操作部、時刻修正操作部、時刻修正操作部などで構成された操作部５６と、これらの状態を表示するディスプレイ５７と送信ボタンとを備えている。
【００３８】
さらに、これらに加え、ＩＤカード８００に記録された個人認証符号などの使用制限情報と、リモートコントローラ５１の識別符号を記憶部５２と、前述の使用制限情報と識別符号等をＩＤカード８００に記録する書き込み部５５と、これらの情報を受光部４０に、赤外線通信手段で送信する送信部５３とプロジェクタ１０からの固有情報と、ＩＤカード８００とリモートコントローラ５１の個人認証符号、個人認証符号と、プロジェクタ１０の個人認証符号の一致または不一致情報を受信する受信部５４とを備え、また、ＩＤカードに記録された情報とリモートコントローラ５１の個人認証符号とプロジェクタ１０の識別符号を照合する認証部５８をさらに備えている。
ここで、プロジェクタ１０及びリモートコントローラ５１の個人認証符号とは、それぞれの識別符号を意味する。
【００３９】
なお、ディスプレイ５７には、上記の一致、不一致の状態を表示する機能も有している。
この表示は、ディスプレイ５７とは別のＬＥＤ（Ｌｉｇｈｔ  Ｅｍｉｔｔｉｎｇ  Ｄｉｏｄｅ）ランプなどを備え、不一致の場合はエラー表示をすることができる。
【００４０】
受光部４０は、プロジェクタ１０内に備えられ、リモートコントローラ５１からの信号を受信する受信部４１と、受信した情報を記憶する記憶部４３と、この記憶部４３で記憶された情報を送信する送信部４２とから構成される。送信部４２からは、上記の記憶された情報をＩＲコントローラ４５に送信し、システムＣＰＵ１００の記憶部１４０に記憶される（図１、参照）。
プロジェクタ１０は、このようなリモートコントローラ５１による遠隔操作とは別に、ＩＤカード８００が直接装着されるＩＤカード入力装置７０が備えられている。
【００４１】
図３は、ＩＤカード入力装置７０の構成を示すブロック図である。図３において、ＩＤカード入力装置７０は、プロジェクタ１０に組み込まれており、前述したリモートコントローラ５１と同様にＩＤカード８００が持つ情報を一旦記憶する記憶部７３と、この情報をＩＤカードコントローラ８０に送信する送信部７２、システムＣＰＵ１００からのプロジェクタ固有情報を受信する受信部７１と、その情報をＩＤカード８００に記録する書き込み部７４と、ＩＤカード８００とプロジェクタ１０の識別符号を照合、認証する認証部７５と、を備えている。
【００４２】
また、システムＣＰＵ１００にＩＤカード８００に記憶された情報を送信、あるいは書き込み操作の命令を指示する操作部を行う操作部７６を備えている。
ＩＤカード８００に記録された情報は、後述するリード・ライター９００で読み出すことができる。
【００４３】
図４は、本実施形態のうち、プロジェクタ１０に識別符号を入力、またはプロジェクタ１０の使用情報を読み出す機能を備えるリード・ライター９００の構成を示す。図４において、リード・ライター９００は、プロジェクタ１０に使用制限情報と識別符号を入力するためのテンキー等を有する入力部９０６と、これらの情報を一旦記憶する記憶部９０５と、この情報を記憶装置１５０に書き込みを行う書き込み部９０４と、システムＣＰＵ１００からプロジェクタ１０の固有情報を入力する受信して読み込む読み出し部９０３と、前述の情報を表示するディスプレイ９０１と、ディスプレイ制御部９０２とが備えられている。
【００４４】
このリード・ライター９００は、プロジェクタ１０とはケーブルで接続されており、図示しないが、少なくともどちらか一方にコネクタを備え、リード・ライター９００は着脱自在の構成である。
【００４５】
ここで、ユーザーがリード・ライター９００に入力する使用制限情報には、ユーザーの個人認証符号、プロジェクタ１０の識別符号、プロジェクタ１０が使用できる時間帯（使用開始と使用終了時刻）、使用可能時間が含まれる。
また、プロジェクタ１０から入力される固有情報は、プロジェクタ１０自身の識別符号である。
【００４６】
リード・ライター９００とプロジェクタ１０の接続は、ケーブルで行うこともリモートコントローラ５１と同様に赤外線通信で行うことができる他、無線通信で行うこともできる。
【００４７】
図５は、本実施形態のうち、ＩＤカード８００に個人認証符号を書き込む、またはプロジェクタ１０の情報をＩＤカード８００から読み出す機能を備えるリード・ライター９５０の構成を示すブロック図である。図５において、リード・ライター９５０は、テンキーを有する入力部９５４から入力される使用制限情報を一旦記憶する記憶部９５３と、この情報をＩＤカード８００に記録する書き込み部９５２と、プロジェクタ１０の固有情報をＩＤカードを介して読み込むための読み出し部９５１と、前述の情報を表示するディスプレイ９０１とこのディスプレイ９０１を駆動制御するディスプレイ制御部９０２とを備えている。
【００４８】
なお、上記の使用制限情報としては、少なくとも、ユーザーの個人認証符号と、リモートコントローラ５１の識別符号と、プロジェクタ１０の使用可能時間と、が含まれる。
【００４９】
また、プロジェクタ１０からＩＤカード８００を介して得られる情報は、ユーザーの個人認証符号と、プロジェクタ１０自身の識別符号と、プロジェクタ１０を使用した時刻と、終了した時刻と、使用時間などである。これらの情報は、ディスプレイ９０１で表示される。
【００５０】
前述したような構成では、リード・ライター９００，９５０とは、それぞれの機能を統合して共通のリード・ライターとしてもよい。
また、ＩＤカード８００は、構成としては磁気カードやＩＣカード、インターフェースとしては接触式や近接非接触式でもよく、これらに対応した読み出し部９５１、書き込み部９５２を用意すれば、使用範囲を広げることができる。
【００５１】
続いて、本実施形態の投写表示システム１の動作フローについて説明する。
図６、図７は、リモートコントローラ５１を備えている投写表示システム１のフローチャートであり、図６は、プロジェクタ１０を点灯させるためのフローを示し、図７は、消灯させるまでのフローを示している。図１、図２も参照して説明する。図６において、まず、プロジェクタ１０の操作ボードの電源スイッチをＯＮする。次に、前述した所定の情報が記憶されているＩＤカード８００をリモートコントローラ５１に挿着させる（ＳＴ１）。
【００５２】
リモートコントローラ５１から、前述のＩＤカード８００に記憶されている情報をプロジェクタ１０に送信する（ＳＴ２）。その情報をプロジェクタ１０が受信し（ＳＴ３）、あらかじめ記憶装置１５０に記憶されているリモートコントローラ５１の識別符号、プロジェクタ１０の識別符号、ユーザーの個人認証符号のうち、リモートコントローラ５１の識別符号とプロジェクタ１０に記憶されている識別符号との比較照合をＩＤ認証部１１０で行う（ＳＴ４）。識別符号が一致した場合は、ＳＴ５に進むが、一致しなかった場合には、リモートコントローラ５１から情報の再送信を行う（ＳＴ２に戻る）。この時、ディスプレイ５７またはＬＥＤランプでエラー表示する。
【００５３】
ＳＴ５では、ユーザーの個人認証符号と記憶装置１５０にあらかじめ登録されているユーザーの個人認証符号の照合を行う。一致した場合は、次のＳＴ６に進む。不一致の場合は、ＳＴ２まで戻り再送信を行う。この時も、ディスプレイ５７またはＬＥＤランプでエラー表示する。
【００５４】
ＳＴ６では、プロジェクタ１０にあらかじめ記憶されているプロジェクタ識別符号と、ＩＤカード８００から入力されたユーザーの個人認証符号と、リモートコントローラ識別符号と、プロジェクタ識別符号と、個人認証一致情報とが、プロジェクタ１０側からリモートコントローラ５１に送信される。
【００５５】
リモートコントローラ５１が受信（ＳＴ７）すると、リモートコントローラ５１に記憶されているリモートコントローラ識別符号と個人認証符号とがＳＴ６で送信された情報との照合が行われる（ＳＴ８）。
ＳＴ６〜ＳＴ８までの工程は、ＩＤカード８００とプロジェクタ１０が受け取った前述した使用制限情報が一致してから次の工程に進めるという信頼性を高めるための工程である。
【００５６】
ＳＴ８において認証不一致になった場合は、再度ＳＴ２に戻りＳＴ８までの工程を繰り返す。この時も前述したようにディスプレイ５７またはＬＥＤランプでエラー表示する。
認証が一致した場合は、リモートコントローラ５１の書き込み部５５において、ＳＴ６の情報をＩＤカードに書き込みを行う（ＳＴ９）。その後、リモートコントローラ５１から認証に必要な前述の情報と、プロジェクタ１０を点灯させる命令と、使用制限時間情報をプロジェクタ１０に送信する（ＳＴ１０）。
【００５７】
ＳＴ１０で送信された情報を受信（ＳＴ１１）したプロジェクタ１０では、ＩＤ認証部１１０によって、再度、プロジェクタ１０にあらかじめ登録されている情報とリモートコントローラ識別符号照合（ＳＴ１２）、ユーザーの個人認証符号（ＩＤカードの識別符号）照合を行う（ＳＴ１３）。
【００５８】
ＳＴ１２、ＳＴ１３で認証不一致の場合は、それぞれ、再度ＳＴ２に戻り、ＳＴ１３までの認証工程を繰り返す。この際、リモートコントローラ５１に備えられたディスプレイ５７またはＬＥＤに不一致であることを示すエラー表示を表示させる。
なお、認証が一致したことも表示すれば、より状態が分かり易い。
【００５９】
ＳＴ１３において認証確認ができると、ＳＴ１０で送信された情報がリモートコントローラ５１の書き込み部５５においてＩＤカード８００に書き込まれる（ＳＴ１４）。この際、プロジェクタ１０を点灯させるという命令信号も送信されているためランプ４００が点灯され、同時に画像が投写できる状態となる。
【００６０】
このようにしてプロジェクタ１０は画像投写をするが、ＳＴ１０において、プロジェクタ使用可能時間が設定されるため、例えば設定された時間が２時間であれば、時計１３０のタイマーによって２時間経過後には強制消灯される。
また、使用制限情報には、プロジェクタ１０の使用可能時刻が含まれているので、この制限時刻外におけるプロジェクタ点灯命令はキャンセルされる。
【００６１】
図７に、この制限時間前の任意のタイミングで消灯するときの動作フローを示す。基本は、図６に示した点灯させる前の工程と同様な工程であるため、共通部分は説明を省略する。図７において、まず、リモートコントローラ５１から、前述のＩＤカードに記憶されている情報を送信する（ＳＴ２０）。送信は、リモートコントローラ５１の操作部５６に備えられた消灯スイッチを操作して行われるが、操作ボード６０にも消灯機能を備えられる。
【００６２】
その情報をプロジェクタ１０が受信し（ＳＴ２１）、あらかじめ記憶装置１５０に記憶されているリモートコントローラ５１の識別符号、プロジェクタ１０の識別符号、ユーザーの個人認証符号のうち、リモートコントローラ５１の識別符号とプロジェクタ１０に記憶されている識別符号との比較照合をＩＤ認証部１１０で行う（ＳＴ２２）。識別符号が一致した場合は、ＳＴ２３に進み、一致しなかった場合には、リモートコントローラ５１から情報の再送信を行う（ＳＴ２０に戻る）。この時、ディスプレイ５７またはＬＥＤランプでエラー表示する。
【００６３】
ＳＴ２３では、ユーザーの個人認証符号と記憶装置１５０にあらかじめ登録されているユーザーの個人認証符号の照合を行う。一致した場合は、次のＳＴ２４に進む。不一致の場合は、ＳＴ２０まで戻り再送信を行う（ＳＴ２３）。この時も、ディスプレイ５７またはＬＥＤランプでエラー表示する。
【００６４】
ＳＴ２４では、プロジェクタ１０にあらかじめ記憶されているプロジェクタ識別符号と、ＩＤカードから入力されたユーザーの個人認証符号、リモートコントローラ識別符号、個人認証一致情報がプロジェクタ１０側からリモートコントローラ５１に送信される。
【００６５】
リモートコントローラ５１が受信（ＳＴ２５）すると、リモートコントローラ５１に記憶されているリモートコントローラ識別符号とユーザー個人認証符号と、ＳＴ２４で送信された情報との照合を行う（ＳＴ２６）。
ＳＴ２４〜ＳＴ２６までの工程は、ＩＤカード８００とプロジェクタ１０が受け取った前述した使用制限情報が一致してから次の工程に進めるという信頼性を高めるための工程である。
【００６６】
ＳＴ２６において認証不一致になった場合は、再度ＳＴ２０に戻りＳＴ２６までの工程を繰り返す。この時も前述したようにディスプレイ５７またはＬＥＤランプでエラー表示する。
認証が一致した場合は、ＳＴ２４の情報と、プロジェクタ１０を消灯させる命令と、消灯時刻とをプロジェクタ１０に送信する（ＳＴ２７）。送信された情報をプロジェクタ１０で受信し（ＳＴ２８）、再度、リモートコントローラ５１側での認証工程を行う。
【００６７】
ＳＴ２９において、ＩＤ認証部１１０によって、プロジェクタ１０にあらかじめ登録されている情報（ＳＴ２６における情報）とリモートコントローラ識別符号照合（ＳＴ２９）、ユーザーの個人認証符号の照合を行う（ＳＴ３０）。
【００６８】
ＳＴ２９、またはＳＴ３０で認証不一致の場合は、再度ＳＴ２０に戻りＳＴ３０までの認証工程を繰り返す。この際、リモートコントローラ５１に備えられたディスプレイ５７またはＬＥＤに不一致であることを示すエラー表示を表示させる。
【００６９】
認証が一致すると、リモートコントローラ５１に備えられている書き込み部５５によってＩＤカード８００にリモートコントローラ識別符号、使用開始時刻（点灯時刻）、使用終了時刻（消灯時刻）、使用時間、プロジェクタ識別符号、個人認証符号を書き込む（ＳＴ３１）。この内容は、リード・ライター９５０で読み出すことができる。
【００７０】
このようにしてプロジェクタ１０が消灯される。    
なお、消灯時刻は、ＳＴ２７の時刻であるが、実質的に管理上の影響はない。
また、消灯時に複数回の照合工程を備えた理由のひとつとしては、無意識のうちに消灯をしてしまうことを防止する意味もある。
【００７１】
次に、ＩＤカード入力装置７０を備えている投写表示システム１のフローを説明する。図８は、プロジェクタ１０を点灯させるための工程を示すフローチャートであり、図９は、消灯させるまでの工程を示すフローチャートである。これは、前述したリモートコントローラ５１を用いたフローと技術思想を同じにしており、リモートコントローラ５１に係わる工程が省略されている。
【００７２】
図８において、まず、プロジェクタ１０の操作ボードの電源スイッチをＯＮする。次に、前述した所定の情報が記憶されているＩＤカード８００をリモートコントローラ５１に挿着させる（ＳＴ１）。
【００７３】
ＩＤカード入力装置７０から、前述したＩＤカード８００に記憶されている情報を送信する（ＳＴ２）。この工程は、ＩＤカード８００を挿着した瞬間に送信を開始しても、ＩＤカード入力装置７０の操作部７６に送信ボタンを設け、このボタン操作によって送信してもよい。
【００７４】
その情報をプロジェクタ１０が受信し（ＳＴ３）、あらかじめ記憶装置１５０に記憶されているプロジェクタ１０の識別符号とユーザーの個人認証符号とをＩＤ認証部１１０で照合する（ＳＴ４）。識別符号と個人認証符号が一致した場合は、ＳＴ５に進むが、一致しなかった場合には、ＩＤカード入力装置７０から情報の再送信を行う（ＳＴ２に戻る）。この時、ディスプレイ５７またはＬＥＤランプでエラー表示する。
【００７５】
ＳＴ５では、プロジェクタ１０にあらかじめ記憶されているプロジェクタ識別符号と、ＩＤカードから入力されたユーザーの個人認証符号、個人認証一致情報とが、プロジェクタ１０側からＩＤカード入力装置７０に送信される。
【００７６】
ＩＤカード入力装置が前述の情報を受信（ＳＴ６）すると、再度、ＩＤ認証部７５によって、ＩＤカード８００に記憶されている個人認証符号とＳＴ５で送信された情報との照合を行う（ＳＴ７）。ＳＴ７において認証不一致になった場合は、再度ＳＴ２に戻りＳＴ７までの工程を繰り返す。この時も前述したようにディスプレイ５７またはＬＥＤランプでエラー表示する。
【００７７】
認証が一致した場合は、ＩＤカード入力装置７０の書き込み部７４において、ＳＴ５の情報をＩＤカードに書き込みを行う（ＳＴ８）。その後、ＩＤカード入力装置７０から認証に必要な前述の情報と、プロジェクタ１０を点灯させる命令と、使用制限時間情報をプロジェクタ１０に送信する（ＳＴ９）。
【００７８】
ＳＴ９で送信された情報を受信（ＳＴ１０）したプロジェクタ１０では、ＩＤ認証部１１０によって、再度、プロジェクタ１０にあらかじめ登録されている情報とユーザーの個人認証符号の照合を行う（ＳＴ１１）。
【００７９】
ＳＴ１１で認証不一致の場合は、再度ＳＴ２に戻り、ＳＴ１１までの認証工程を繰り返す。この際、ＩＤカード入力装置７０に設けられたＬＥＤランプを点灯し、不一致であることを示すエラー表示を表示させる。
【００８０】
ＳＴ１１において認証確認ができると、ＳＴ９で送信された情報が、ＩＤカード入力装置７０の書き込み部７４でＩＤカード８００に書き込まれる（ＳＴ１２）。この際、プロジェクタ１０を点灯させるという命令信号も送信されているためランプ４００が点灯され、同時に画像が投写できる状態となる。
【００８１】
このようにしてプロジェクタ１０は画像投写をするが、ＳＴ７において、プロジェクタ使用可能時間が設定されるため、例えば設定された時間が２時間であれば、時計１３０のタイマーによって２時間経過後には強制消灯される。
また、使用制限情報には、プロジェクタ１０の使用可能時刻が含まれているので、その制限時刻外におけるプロジェクタ点灯命令はキャンセルされる。
【００８２】
図９に、この制限時間前の任意のタイミングで消灯するときの動作フローを示す。図９において、まず、ＩＤカード入力装置７０から、前述のＩＤカード８００に記憶されている情報と、消灯信号を送信する（ＳＴ２０）。送信は、ＩＤカード入力装置７０の操作部７６に備えられた消灯スイッチを操作して行われる。従って、この信号には消灯命令が含まれる。
【００８３】
送信された情報をプロジェクタ１０（システムＣＰＵ１００）が受信し（ＳＴ２１）、あらかじめ記憶装置１５０に記憶されているプロジェクタ１０の識別符号、ユーザーの個人認証符号と前工程までにＩＤカード８００に刻されたプロジェクタ識別符号とユーザーの個人認証符号とを照合して（ＳＴ２２）、一致した場合には、次に、プロジェクタ側からＩＤカード入力装置７０に、プロジェクタ識別符号、個人認証符号とプロジェクタ１０の固有情報（アクセス時刻等）を送信し（ＳＴ２３）、ＩＤカード入力装置７０で受信（ＳＴ２４）し、記憶部７３に記憶されている情報と比較照合する（ＳＴ２５）。
【００８４】
認証が不一致の場合は、ＳＴ２０に戻りＳＴ２５までの工程を繰り返す。認証一致した場合には、再度、ＩＤカード入力装置７０からプロジェクタ１０（システムＣＰＵ１００）に消灯信号、プロジェクタ識別符号、個人認証符号が送信される（ＳＴ２６）。
【００８５】
送信されたデータをプロジェクタ１０（システムＣＰＵ１００）で受信し（ＳＴ２７）、個人認証符号を照合する（ＳＴ２８）。その結果、認証不一致の場合は、ＳＴ２０に戻りＳＴ２８までの工程を繰り返す。この時、ＩＤカード入力装置７０でエラー表示される。認証一致の場合には、ＩＤカード入力装置７０の書き込み部７４によってＩＤカード８００に、プロジェクタ識別符号、個人認証符号、プロジェクタ使用開始時刻、使用終了時刻、使用時間等が書き込まれる（ＳＴ２９）。
このような工程を経て、プロジェクタ１０は消灯され、機能を停止し、電源がＯＦＦされる。
【００８６】
従って、本実施形態によれば、投写表示システム１は、プロジェクタ１０と入力装置としてのリモートコントローラ５１、ＩＤカード入力装置７０に個人認証登録手段を備えているので、ＩＤカード８００に記録された個人認証符号とプロジェクタ１０及びリモートコントローラ５１、ＩＤカード入力装置７０に記録された個人認証符号が一致したときに限りプロジェクタ１０の点灯、消灯などの操作が可能となり、プロジェクタ１０の使用制限を的確に行うことができ、不適切な使用を防止し、その結果ランプの寿命を延命することができる。
また、このことから、個人認証符号を取得したユーザー以外に当該プロジェクタを使用できないことから、プロジェクタ１０の無断持ち出しや盗難等を防止することが期待できる。
【００８７】
また、入力装置としては、遠隔操作可能なリモートコントローラ５１、またはプロジェクタ１０にＩＤカード入力装置７０を備えているので、リモートコントローラ５１を備えた場合は、プロジェクタ１０とリモートコントローラ５１との間を接続するケーブルを省略することができる。また、天吊り型のプロジェクタにおいては、遠隔操作が可能となる。ＩＤカード入力装置の場合は、机上載置型のプロジェクタにおいては、プロジェクタの操作しやすい場所に一体に装着することができる。
【００８８】
また、前述の投写表示システム１において、プロジェクタ１０と、リモートコントローラ５１とＩＤカード入力装置７０とは、それぞれ双方向通信機能を備えているので、リモートコントローラ５１またはＩＤカード入力装置７０からプロジェクタ１０に使用制限情報を入力し、プロジェクタ１０からは、例えば、個人認証結果やプロジェクタ１０の使用開始時刻等の固有情報を入力することができるので、より確実な個人認証と、プロジェクタの使用実態の情報をＩＤカード８００を介して得ることができる。
【００８９】
また、本実施形態の構成によれば、リモートコントローラ５１、ＩＤカード入力装置７０とは、当該プロジェクタの固有情報をＩＤカード８００に記録する書き込み装置を備えているため、プロジェクタの使用実態をＩＤカードに記録することができるので、プロジェクタ１０をもれなく、的確に管理することができる。
【００９０】
さらに、本実施形態の投写表示システム１では、リモートコントローラ５１の通信手段が、赤外線による通信手段を備えているので、通信手段の構成が簡素で安価なリモートコントローラ５１、投写表示システムを提供することができる。
【００９１】
また、リモートコントローラ５１が、該リモートコントローラ５１と、プロジェクタ１０と、ＩＤカード８００とのそれぞれの個人識別認証手段を備えているために、それぞれの組み合わせにおいて管理が可能になる。
【００９２】
さらに、本実施形態の構成では、識別記録媒体が、記録内容を書き換え可能なＩＤカードであるために、前述の使用制限情報やプロジェクタ１０の使用実態情報などをＩＤカードに書き換えることができるので、管理者がＩＤカード８００を一括管理し、使用制限情報を必要に応じて変更することができる。また、プロジェクタ１０の使用実態の記録を書き込むことができるので、的確で確実な管理や計画的な使用をすることがし易いシステムである。
【００９３】
本発明の実施形態の投写表示システムでは、プロジェクタ１０とリモートコントローラ５１とＩＤカード８００、またはプロジェクタ１０とＩＤカード８００に登録されている個人認証符号（識別符号）が、３回一致する場合に限り、前記プロジェクタの点灯、消灯を可能にしているので、個人認証の信頼性を高めると共に、無意識に、または、間違えて消灯してしまう確立を減ずることができる。
【００９４】
本発明の投写表示システムは、前記プロジェクタと前記識別記録媒体と前記入力装置とに使用制限情報を書き込み、記録の読み出しを行うリード・ライター９００，９５０を備えているために、制限情報の書き込み、変更ができ、また、記録された情報を読み出すことができ、この投写表示システムの管理が容易に行えるという効果がある。
【００９５】
なお、本発明は前述の実施例に限定されるものではなく、本発明の目的を達成できる範囲での変形、改良等は本発明に含まれるものである。
例えば、本実施形態では、リモートコントローラ５１の通信手段は、赤外線による通信としていたが、微弱な出力の無線による通信手段を採用することができる。無線による通信手段によれば、電波は指向性がなく、かつ障害物による電波の遮断による影響も少ない。指向性がないことから、近接する他のプロジェクタに電波が伝達されることが考えられるが、前述したように、個人認証登録手段を備えているので、信頼性の高い通信を実現することができる。
【００９６】
また、前述した実施形態では、ＩＤカード入力装置７０は、プロジェクタ１０に内蔵している例を説明したが、プロジェクタ１０とは別体にすることができる。例えば、小型の携行型のプロジェクタにおいては、ＩＤカード入力装置７０を別体にユニット化すれば、操作性を向上することができる。この際、プロジェクタ１０とＩＤカード入力装置７０は、それぞれにコネクタを備えケーブルで接続することが好ましい。
【００９７】
また、本実施形態では、図示していないが、リード・ライター９００，９５０は、ＰＣに接続できるようにＲＳ・２３２Ｃコネクタを備えておき、相互に接続し、ＩＤカード８００に記録されたデータをＰＣに取り込み、データを管理することができ、また、ＰＣから個人認証符号やプロジェクタ１０、リモートコントローラ５１、ＩＤカード入力装置７０の識別符号、使用制限情報等を入力装置を介して書き込むことができる。
【００９８】
さらに、前述の実施形態では、プロジェクタ１０の記憶装置１５０に接続されるリード・ライター９００と、ＩＤカード８００にデータを書き込むリード・ライター９５０を備えているが、両者の機能を一つのリード・ライターに併合することができる。このようにすれば、より簡素な投写表示システムを構成することができる。
【００９９】
また、プロジェクタ１０の識別符号、当該プロジェクタ用のリモートコントローラ５１の識別符号、ＩＤカード８００の個人認証符号は、プロジェクタ１０の出荷前にあらかじめ固定的に設定しておくこともできる。
【０１００】
なお、前述の実施形態においては、入力装置として、リモートコントローラ５１とＩＤカード入力装置７０とを備えているが、プロジェクタ１０の形態や設置条件の選択によっては、どちらか一方を備えておけばよい。
【０１０１】
従って、前述の実施形態によれば、プロジェクタ１０と個人認証符号が入力されるリモートコントローラ５１とＩＤカード入力装置７０とに備えられた個人認証登録手段とＩＤカード８００に登録されている個人認証符号（識別符号）と、が一致する場合に限り、前記プロジェクタの操作を可能にする投写表示システムを提供することができる。
【図面の簡単な説明】
【０１０２】
【図１】本発明の実施形態に係る投写表示システムの構成を示すブロック図。
【図２】本発明の実施形態に係るリモートコントローラと受光部の構成を示すブロック図。
【図３】本発明の実施形態に係るＩＤカード入力装置７０の構成を示すブロック図。
【図４】本発明の実施形態に係るリード・ライター９００の構成を示すブロック図。
【図５】本発明の実施形態に係るリード・ライター９５０の構成を示すブロック図。
【図６】本発明の実施形態に係るプロジェクタを点灯させるためのフローを示すフローチャート。
【図７】本発明の実施形態に係るプロジェクタを消灯させるためのフローを示すフローチャート。
【図８】本発明の実施形態に係るプロジェクタを点灯させるためのフローを示すフローチャート（ＩＤカード入力装置による）。
【図９】本発明の実施形態に係るプロジェクタを消灯させるためのフローを示すフローチャート（ＩＤカード入力装置による）。
【符号の説明】
【０１０３】
１…投写表示システム、１０…プロジェクタ、１００…システムＣＰＵ、５７，７５，１１０…ＩＤ認証部、５１…リモートコントローラ、７０…ＩＤカード入力装置、６００…ＤＳＣ、７００…ＰＣ、８００…ＩＤカード、９００，９５０…リード・ライター。
【図１】
2005181606.tif 000003
【図２】
2005181606.tif 000004
【図３】
2005181606.tif 000005
【図４】
2005181606.tif 000006
【図５】
2005181606.tif 000007
【図６】
2005181606.tif 000008
【図７】
2005181606.tif 000009
【図８】
2005181606.tif 000010
【図９】
2005181606.tif 000011